(57)【要約】【課題】親局と子局との間の無線シーケンス完了前に放送に係る操作を行うことができるようにする。【解決手段】本発明は、親局装置が複数の子局に対して放送データを同報通信する同報通信システムにおいて、親局装置が、各子局との間の接続処理を行う接続処理手段と、接続処理手段による接続処理と並行して、放送データの入力を受け付ける放送データ制御手段と、入力された放送データを蓄積する放送データ蓄積手段と、接続処理手段による各子局との間の接続処理完了後、放送データ蓄積手段に蓄積されている放送データを出力する放送データ出力手段と、放送データ出力手段から出力された放送データを各子局に同報通信する同報通信手段とを備える。【選択図】      図１
2015046785.tif 000002
【特許請求の範囲】
【請求項１】
親局装置が複数の子局に対して放送データを同報通信する同報通信システムにおいて、
上記親局装置が、
上記各子局との間の接続処理を行う接続処理手段と、
上記接続処理手段による接続処理と並行して、上記放送データの入力を受け付ける放送データ制御手段と、
入力された放送データを蓄積する放送データ蓄積手段と、
上記接続処理手段による上記各子局との間の接続処理完了後、上記放送データ蓄積手段に蓄積されている放送データを出力する放送データ出力手段と、
上記放送データ出力手段から出力された放送データを上記各子局に同報通信する同報通信手段と
を備えることを特徴とする同報通信システム。
【請求項２】
上記放送データ制御手段が、上記各子局との間の接続要求を取得した後であって、上記接続処理手段による接続処理完了前に、上記放送データの入力を受け付け、入力された放送データを上記放送データ蓄積手段に蓄積することを特徴とする請求項１に記載の同報通信システム。
【請求項３】
上記放送データが、上記各子局において放送させる音データを含むものであり、
上記放送データ制御手段が、上記各子局との間の接続処理に並行して、マイクを通じて取得した音声データ及び又は予め記録された音源データを上記放送データとして入力するものであることを特徴とする請求項１又は２に記載の同報通信システム。
【請求項４】
複数の子局に対して放送データを同報通信する親局装置としての操作装置において、
上記各子局との間の接続処理を行う接続処理手段と、
上記接続処理手段による接続処理と並行して、上記放送データの入力を受け付ける放送データ制御手段と、
入力された放送データを蓄積する放送データ蓄積手段と、
上記接続処理手段による上記各子局との間の接続処理完了後、上記放送データ蓄積手段に蓄積されている放送データを出力する放送データ出力手段と、
上記放送データ出力手段から出力された放送データを上記各子局に同報通信する同報通信手段と
を備えることを特徴とする操作装置。
【請求項５】
親局装置が複数の子局に対して放送データを同報通信する同報通信方法において、
上記親局装置が、
上記各子局との間の接続処理を行う接続処理工程と、
上記接続処理工程の接続処理と並行して、上記放送データの入力を受け付ける放送データ制御工程と、
入力された放送データを蓄積する放送データ蓄積工程と、
上記接続処理工程における上記各子局との間の接続処理完了後、蓄積されている放送データを出力する放送データ出力工程と、
上記放送データ出力工程で出力された放送データを上記各子局に同報通信する同報通信工程と
を有することを特徴とする同報通信方法。
【発明の詳細な説明】
【技術分野】
【０００１】
本発明は、同報通信システム、操作装置及び同報通信方法に関し、例えば、市町村防災システムに適用し得るものである。
【背景技術】
【０００２】
従来、市町村防災無線システムは、例えば、市役所や村役場等に設けられる親局無線局（以下、親局ともいう。）や、各家庭に設けられる戸別受信機（戸別子局）や公園や学校等に設けられる屋外拡声装置などの子局無線機（以下、子局ともいう。）や、従属中継局等の中継局を構成要素としているものであり、親局が子局に対して放送データを通信するものである。
【０００３】
市町村防災無線システムは、例えば、操作卓において、作業者がマイクを使って緊急を報知する音声を発声し、マイクにより捕捉された音声データを含む信号やサイレン吹鳴音データを含む信号等が、親局から子局（又必要に応じて中継局を介して親局から子局）に通信（放送）され、子局がスピーカから報知音声やサイレン音等の放送内容を出力する（特許文献１参照）。
【先行技術文献】
【特許文献】
【０００４】
【特許文献１】特開２００２−９４４７４号公報
【発明の概要】
【発明が解決しようとする課題】
【０００５】
しかしながら、従来の市町村防災無線システムは、親局と子局との間の無線シーケンスが完了した後でないと、操作卓における放送に必要な操作（例えば報知音声の発声やサイレン吹鳴等の操作）ができなかった。作業者は緊急度や態様などに応じて子局を呼び出す呼出信号を送信し、子局と親局との間の無線シーケンスを実行させる。無線シーケンスが完了すると、無線シーケンス完了の旨が操作卓に表示され、作業者は無線シーケンスの完了を目視で確認した上で、放送に必要な操作を行っているが、子局への呼出信号を送信してから無線シーケンス完了までに時間を要するため、その間待ち時間が生じてしまうという問題が生じ得る。
【０００６】
また、特に緊急性を要する場合には、上記のような無線シーケンス完了に係る待ち時間を気にせずに、作業者が放送操作を行いたいという強い要望もある。
【０００７】
そのため、親局と子局との間の無線シーケンス完了前に、放送に係る操作を行うことができ、この操作による放送を無線シーケンス完了後に適切に実行することができる同報通信システム、操作装置及び同報通信方法が求められている。
【課題を解決するための手段】
【０００８】
かかる課題を解決するために、第１の本発明の同報通信システムは、親局装置が複数の子局に対して放送データを同報通信する同報通信システムにおいて、親局装置が、（１）各子局との間の接続処理を行う接続処理手段と、（２）接続処理手段による接続処理と並行して、放送データの入力を受け付ける放送データ制御手段と、（３）入力された放送データを蓄積する放送データ蓄積手段と、（４）接続処理手段による各子局との間の接続処理完了後、放送データ蓄積手段に蓄積されている放送データを出力する放送データ出力手段と、（５）放送データ出力手段から出力された放送データを各子局に同報通信する同報通信手段とを備えることを特徴とする。
【０００９】
第２の本発明の操作装置は、複数の子局に対して放送データを同報通信する親局装置としての操作装置において、（１）各子局との間の接続処理を行う接続処理手段と、（２）接続処理手段による接続処理と並行して、放送データの入力を受け付ける放送データ制御手段と、（３）入力された放送データを蓄積する放送データ蓄積手段と、（４）接続処理手段による各子局との間の接続処理完了後、放送データ蓄積手段に蓄積されている放送データを出力する放送データ出力手段と、（５）放送データ出力手段から出力された放送データを各子局に同報通信する同報通信手段とを備えることを特徴とする。
【００１０】
第３の本発明の同報通信方法は、親局装置が複数の子局に対して放送データを同報通信する同報通信方法において、親局装置が、（１）各子局との間の接続処理を行う接続処理工程と、（２）接続処理工程の接続処理と並行して、放送データの入力を受け付ける放送データ制御工程と、（３）入力された放送データを蓄積する放送データ蓄積工程と、（４）接続処理工程における各子局との間の接続処理完了後、蓄積されている放送データを出力する放送データ出力工程と、（５）放送データ出力工程で出力された放送データを各子局に同報通信する同報通信工程とを有することを特徴とする。
【発明の効果】
【００１１】
本発明によれば、親局と子局との間の無線シーケンス完了前に放送に係る操作を行うことができ、この操作による放送を無線シーケンス完了後に適切に実行することができる。
【図面の簡単な説明】
【００１２】
【図１】実施形態に係る操作卓の内部構成を示す内部構成図である。
【図２】実施形態に係る市町村防災無線システムの全体的な構成を示す構成図である。
【図３】実施形態に係る親局の内部構成を示す内部構成図である。
【図４】実施形態に係る子局の内部構成を示す内部構成図である。
【図５】実施形態に係る市町村防災無線システムにおける無線通信処理の動作を示すシーケンス図である。
【発明を実施するための形態】
【００１３】
（Ａ）主たる実施形態
以下では、本発明の同報通信システム、操作装置及び同報通信方法の主たる実施形態を、図面を参照しながら詳細に説明する。
【００１４】
この実施形態は、親局及び子局が固定設置されている固定系市町村防災無線システムに本発明を適用する場合を例示する。
【００１５】
（Ａ−１）実施形態の構成
図２は、この実施形態に係る市町村防災無線システム９の全体的な構成を示す構成図である。図２において、実施形態に係る市町村防災無線システム９は、操作卓１、親局（親局無線機）２、複数の子局（子局無線機）３−１〜３−３、中継局４を有する。
【００１６】
なお、子局３や中継局４の設置数は特に限定されるものではない。また、以下では、全ての子局の共通の構成を説明する場合には、子局３と表記して説明する。
【００１７】
ここで、「親局装置」は、操作卓１と親局（親局無線機）２とを含むものであり、作業者（オペレータ）が子局３の呼出選択や放送内容の選択等の操作を行うと共に、親局２が子局３に対して放送（同報通信）開始準備の指示や放送内容に係る音源データの通信を行うものである。
【００１８】
また、特許請求の範囲に記載の放送データは、親局が同報通信で子局３において出力させるデータであって、例えば、この実施形態で例示する音源データに加えて、戸別子局としての子局３が出力する文字データやＦＡＸデータ、画像データ、動画像データも含む概念である。
【００１９】
操作卓１は、例えば市役所や村役場等に設けられるものであり、親局２から子局３への放送（同報通信）を実現するために、作業者が操作する操作装置である。操作卓１は、親局２と接続しており、作業者の操作を受けて、放送内容を流す子局３を呼出選択や放送内容に係る音源の入力を受け付けたり、親局２と子局３との間の無線通信を実現するために、親局２に対して放送要求を行ったりするものである。操作卓１は、図示しない緊急警報受信機や他の防災システムや電話回線等と接続可能なものであっても良く、様々な防災に関する情報を取得できるものであっても良い。
【００２０】
親局２は、例えば市役所や村役場等に設けられる最上位局であり、子局３において放送開始準備をさせるために、操作卓１からの放送要求に従って子局３に対して呼出信号を送信する。また、呼出信号を送信した子局３との間の無線シーケンスが完了すると、親局２は、操作卓１から取得した放送内容に係る音源データを子局３に無線通信する。これにより、放送内容に係る音源データに基づいて、子局３から放送内容が流れる。
【００２１】
子局３は、各家庭に設けられる戸別受信機（戸別子局）や、例えば公園や学校等の公共施設に設けられる屋外拡声装置等とすることができ、親局２から受信した音源データに基づいて放送内容を出力するものである。子局３は、親局から呼出信号を受信すると、放送開始のための準備を行い、この準備完了後に、親局２から取得した音源データに基づいて音出力を行う。親局２と子局３との間の通信は、親局２から子局３に向けた通信（下り方向通信）のみであっても良いし、又は双方向通信であっても良い。
【００２２】
この実施形態では、下り方向通信のみの場合を例示する。下り方向通信のみの場合、子局３から親局２への通信ができないため、親局２は、子局３において放送開始準備が整ったことを認識できない。そこで、例えば、下り方向通信のみの場合、親局２は、呼出信号を送信後所定時間経過後に、子局３において放送開始順が整ったものとみなし、（つまり子局３との間の無線シーケンスが完了したものとみなし）、無線シーケンス完了の旨を操作卓１に通知する。一方、子局３は、親局２から呼出信号を受信後に、所定時間内に放送開始準備を完了させるようにする。なお、子局３における呼出信号の受信が確実になされるために、親局２は子局３に対して複数回に亘って呼出信号を送信するようにしても良い。このように複数回に亘って呼出信号を送信する場合、子局３が複数の呼出信号を受信している間、子局３は放送開始準備を完了せず、最後の呼出信号を受信した後に放送開始準備を完了するようにしても良い。この場合、親局２は、最後の呼出信号の送信後所定時間経過後に、無線シーケンスが完了したものと判断するようにしても良い。
【００２３】
中継局４は、親局２から送信された無線信号を子局３−３に中継するものである。つまり、図２に示すように、親局２から送信された無線信号は、子局３−１及び３−２のように親局２から直接受信されるようにしても良い、子局３−３のように中継局４を介して間接的に受信されるようにしても良い。
【００２４】
図１は、実施形態に係る操作卓１の内部構成を示す内部構成図である。図１において、操作卓１は、例えば、キーボードやマウスや各種ボタン、マイク、ディスプレイ、パーソナルコンピュータ等の演算処理装置を有する操作装置を適用することができる。
【００２５】
図１において、実施形態に係る操作卓１は、操作制御部１０、操作入力部１１、記憶部１２、放送要求部１３、完了受信部１４、マイク１５、音源メモリ１６、音源制御部１７、音源データ記憶部１８、音源データ出力部１９を有する。
【００２６】
なお、操作制御部１０及び音源制御部１７は、例えば、ＣＰＵ、ＲＡＭ、ＲＯＭ、ＥＥＰＲＯＭ、入出力インターフェースによって構成され、ＣＰＵが、記憶部１２等に記憶されているプログラムをＲＡＭに展開して実行することによって操作制御部１０及び音源制御部１７の機能が実現される。また、操作制御部１０及び音源制御部１７は、専用のハードウェアによって構成しても良い。
【００２７】
操作入力部１１は、放送に係る操作情報を取得するものであり、取得した操作情報を操作制御部１０に与えるものである。操作入力部１１は、例えばキーボードやマウス等により作業者操作により入力された操作情報を取り込むものとしても良い。
【００２８】
この操作情報は、例えば呼出種別を含むものである。呼出種別とは、呼び出しする子局３を選択する種類を示すものである。例えば、呼出種別は、緊急時に全ての子局を一括選択する「緊急一括選択」、通常時に全ての子局を一括選択する「一括選択」、予め設定された任意の１又は複数のグループを選択する「グループ選択」、それぞれ子局を個別に選択する「個別選択」、「時差選択」等があり、作業者はこれらの種類からいずれかを選択する。このように、操作情報は、上記呼出種別の識別情報や、必要に応じて（すなわち、呼出種別が個別選択等の場合）作業者により選択された子局３の識別情報（例えば、子局３のＩＤ、子局３が設置されている地域名や地域番号等）等を含むものである。
【００２９】
また、操作入力部１１は、例えば図示しない緊急警報受信機が受信した緊急警報情報を取り込むインターフェースとしても良く、操作入力部１１が取得した緊急警報情報を操作制御部１０に与えることで、緊急一括選択を自動的に行えるようにしても良い。つまり、操作入力部１１が緊急警報情報を取得した場合には、作業者の手入力によらず、緊急一括選択が自動的に選択され、全ての子局３に対して一括して放送要求ができるようにしても良い。
【００３０】
操作制御部１０は、放送に係る操作処理を制御するものであり、操作入力部１１からの操作情報に基づいて放送要求を放送要求部１３に指示するものである。操作制御部１０は、操作入力部１１からの操作情報に含まれる呼出種別に基づき、「緊急一括選択」、「一括選択」、「グループ選択」、「個別選択」、「時差選択」のいずれの呼出種別かを判断する。呼出種別に応じて操作制御部１０の放送要求の処理内容を規定することができる。例えば、呼出種別が「緊急一括選択」の場合、操作制御部１０は、音源制御部１７に「緊急一括選択」の旨を通知すると共に、全ての子局３のアドレス情報を指定し、全ての子局３に対して放送要求を行うようにしてもよい。
【００３１】
また、操作制御部１０は、親局２からの無線シーケンスの完了通知を完了受信部１４から取得し、無線シーケンス完了の旨を音源制御部１７に通知する。このように、無線シーケンス完了の旨を音源制御部１７に通知することにより、音源制御部１７に、無線シーケンス完了前にバッファリングしていた音源データの送出を開始できる。
【００３２】
放送要求部１３は、操作制御部１０からの放送要求の指示に基づいて、子局３への放送要求を親局２に指示するものである。つまり、呼出種別が「緊急一括選択」や「一括選択」の場合、放送要求部１３は、全ての子局３に対して、所定回数の呼出信号の送信を親局２に指示する。この呼出信号の送信回数は、呼出種別毎に予め決められているようにしても良く、例えば、緊急性が高くなるにつれて呼出信号の送信回数が少なくなるように設定するようにしても良い。同様に、「グループ選択」の場合、放送要求部１３は当該グループに属する子局３を指定して、所定回数の呼出信号の送信を親局２に指示し、「個別選択」や「時差選択」の場合、放送要求部１３は、作業者により選択された子局３を指定して所定回数の呼出信号の送信を親局２に指示する。
【００３３】
完了受信部１４は、無線シーケンス完了通知を親局２から取得し、この無線シーケンス完了の旨を操作制御部１０に通知するものである。
【００３４】
記憶部１２は、操作入力部１１からの操作情報や、呼出種別に応じた操作制御部１０の処理プログラム、処理に必要なデータ等を記憶するものである。また、記憶部１２は、子局３の識別情報（例えばＩＤ等）とアドレス情報とを対応付けた情報や、ブロードキャストアドレス等を記憶する。
【００３５】
マイク１５は、作業者が発した音声を捕捉して得た音声データを音源制御部１７に与えるものである。
【００３６】
音源メモリ１６は、１又は複数の音源データを記憶するものであり、放送データ蓄積手段の一例である。音源メモリ１６に記憶されている音源データは、放送に利用される音声（例えば、予め録音された音声等）や、サイレン音やチャイム音等の音源が録音されたデータとすることができる。
【００３７】
音源制御部１７は、放送に係る音源データの選択制御を行うものであり、放送データ制御手段の一例である。音源制御部１７は、作業者の操作に基づいて、マイク１５を通じて入力された音声を音源データとして良いし、又は、作業者により選択された音源メモリ１６の音源データを放送の音源データとしても良いし、更に、音源メモリ１６のサイレン等の音源データとマイク１５からの作業者の音声データとを含むものを放送の音源データとしても良い。
【００３８】
音源制御部１７は、操作制御部１０が放送要求を行った後であって、無線シーケンス完了前に、マイク１５や音源メモリ１６から放送の音源データの入力を受け付け、その入力された音源データを音源データ記憶部１８に蓄積するものである。これにより、子局３への放送要求後であって無線シーケンス完了前でも、放送操作の受け付けを許容することができ、入力された音源データを蓄積することができる。
【００３９】
また、音源制御部１７は、操作制御部１０から無線シーケンス完了の旨の通知を受けると、音源データ記憶部１８に記憶されている音源データを記録順に順番に音源データ出力部１９に出力する。つまり、無線シーケンス完了前に音源データ記憶部１８にバッファリングされている音源データの順番に出力する。
【００４０】
なお、音源制御部１７は、作業者が選択した呼出種別の全ての種類で、放送要求後無線シーケンス完了前に、放送操作の入力受付及び音源データの蓄積を行うようにしても良い。また例えば、音源制御部１７は、呼出種別の一部の種類（例えば、「緊急一括選択」）の場合にのみ、放送要求後無線シーケンス完了前に、放送操作の入力受付及び音源データの蓄積を行うようにし、上記一部の種類以外の場合、基本的には、無線シーケンス完了後に放送操作を受け付けるようにしても良い。
【００４１】
音源データ記憶部１８は、無線シーケンス完了前に、放送操作により受け付けた音源データを記憶するものである。音源データ記憶部１８は、ＦＩＦＯ等のバッファ部を適用することができ、音源データを記憶するときには、バッファリングされた音源データを入力された順で出力する。
【００４２】
音源データ出力部１９は、音源制御部１７の制御により、取得した音源データを、親局２に与えるものである。
【００４３】
図３は、実施形態に係る親局２の内部構成を示す内部構成図である。図３において、実施形態に係る親局２は、信号処理部２０、放送要求取得部２１、記憶部２２、無線処理部２３、完了通知部２４、音源データ取得部２５、音制御部２６を有する。
【００４４】
なお、信号処理部２０及び音制御部２６は、例えば、ＣＰＵ、ＲＡＭ、ＲＯＭ、ＥＥＰＲＯＭ、入出力インターフェースによって構成され、ＣＰＵが、記憶部２２に記憶されているプログラムをＲＡＭに展開して実行することによって信号処理部２０や音声制御部２６の機能が実現される。また、信号処理部２０や音声制御部２６は、専用のハードウェアによって構成されていることとすることもできる。
【００４５】
記憶部２２は、信号処理部２０や音制御部２６がソフトウェア処理で行う場合には、ＣＰＵによって実行されるプログラムやそのプログラムが実行される段階において使用されるデータなどを記憶するものである。
【００４６】
放送要求部２１は、操作卓１からの放送要求を取得し、その放送要求を信号処理部２０に与えるものである。
【００４７】
信号処理部２０は、子局３との間の無線シーケンス処理を行うものであり、接続処理手段の一例である。信号処理部２０は、放送要求部２１から放送要求を取得すると、放送要求の対象とする子局３に送信する呼出信号を生成し、その呼出信号を無線処理部２３に与えるものである。
【００４８】
これにより、親局２は子局３に対して呼出信号を送信することができ、呼出信号を受信した子局は、放送を開始するためのシーケンスを確立させることができる。なお、呼出信号のフォーマットは、例えば、デジタル防災行政無線の規格ＡＲＩＢ−ＳＴＤ−Ｔ８６において規定されているものを使用することができる。
【００４９】
また、信号処理部２０は、呼出信号を送信した子局３との間の無線シーケンスの完了を管理する。例えば、呼出信号の送信後所定時間（例えば数秒程度）経過後に、信号処理部２０は無線シーケンスが完了したとみなし、信号処理部２０は完了通知部２４に無線シーケンス完了の旨を知らせる。
【００５０】
完了通知部２４は、信号処理部２０からの無線シーケンス完了の旨の通知に基づいて、無線シーケンス完了通知を操作卓１に通知するものである。
【００５１】
音源データ取得部２５は、操作卓１からの音源データを取得し、その音源データを取得した順番に従って音制御部２６に与えるものである。
【００５２】
音制御部２６は、音源データ取得部２５から取得した音源データを、無線処理部２３に与えるものである。音制御部２６は、基本的には、音源データ取得部２５からの音源データを順番に無線処理部２３に与えるものである。更に、音制御部２６は、音源データの繰り返しのために、取得した音源データの全て又は一部を繰り返し無線処理部２３に与える等の拡張した機能を備えるようにしても良い。
【００５３】
なお、信号処理部２０及び音制御部２６は、例えば、ＣＰＵ、ＲＡＭ、ＲＯＭ、ＥＥＰＲＯＭ、入出力インターフェースによって構成され、ＣＰＵが、記憶部２２に記憶されているプログラムをＲＡＭに展開して実行することによって信号処理部２０や音声制御部２６の機能が実現される。また、信号処理部２０や音声制御部２６は、専用のハードウェアによって構成されていることとすることもできる。
【００５４】
無線処理部２３は、信号処理部２０や音制御部２６から出力された信号を子局３に送信するための信号に変調して、アンテナ部に出力するものであり、同報通信手段の一例である。また、無線処理部２３は、アンテナ部からの出力信号を信号処理部２０で処理するための信号に復調し、その復調信号を信号処理部２０に与えるものである。なお、アンテナ部は、無線処理部２３からの信号を電波（中継波）にのせて送信するものである。
【００５５】
図４は、実施形態に係る子局３の内部構成を示す内部構成図である。図４において、実施形態に係る子局３は、信号処理部３０、無線処理部３１、音制御部３２、スピーカ３３を有する。
【００５６】
なお、信号処理部３０及び音制御部３２は、例えば、ＣＰＵ、ＲＡＭ、ＲＯＭ、ＥＥＰＲＯＭ、入出力インターフェースによって構成され、ＣＰＵが、プログラムをＲＡＭに展開して実行することによって信号処理部３０及び音制御部３２の機能が実現される。また、信号処理部３０及び音制御部３２は、専用のハードウェアによって構成されていることとすることもできる。
【００５７】
無線処理部３１は、アンテナ部が受波した電波信号を受け取り、信号処理部３０や音制御部３２における処理のために復調して、その復調信号を信号処理部３０や音制御部３２に与えるものである。具体的には、無線処理部３１は、受信信号に呼出信号が含まれている場合には、信号処理部３０に呼出信号を与える。又、受信信号に音源データが含まれている場合には、無線処理部３１は、音源データを音制御部３２に与える。
【００５８】
信号処理部３０は、無線処理部３１から呼出信号を受け取ると、放送開始の準備を行うものである。これにより、当該子局３における放送を報知する準備がなされ、その後に取得する音源データに基づく音出力が可能となる。具体的に、信号処理部３０は、音制御部３２の起動やスピーカ３３の起動に関する処理などを行う。
【００５９】
音制御部３２は、起動後、無線処理部３１から取得した音源データに基づいて信号処理を行い、音（アナログ信号）をスピーカ３３に与えるものである。音制御部３２は、スピーカ３３の音出力調整や、雑音除去処理等を行うようにしても良い。
【００６０】
スピーカ３３は、音制御部３２からの音（アナログ信号）を出力するものである。これにより、拡声された放送内容がスピーカ３３から流れる。
【００６１】
（Ａ−２）実施形態の動作
次に、この実施形態の市町村防災無線システム９における無線通信処理の動作を、図面を参照しながら詳細に説明する。
【００６２】
図５は、実施形態に係る市町村防災無線システム９における無線通信処理の動作を示すシーケンス図である。
【００６３】
市町村防災無線システム９により作業者が子局３のスピーカ３３から放送内容を流すために、作業者は操作卓１の操作入力部１１を用いて放送内容を流す子局３の呼出種別を入力する（Ｓ１０１）。
【００６４】
呼出種別は、例えば、「緊急一括選択」、「一括選択」、「グループ選択」、「個別選択」、「時差選択」等のように予め設定されているものであり、作業者は、放送の態様・目的や緊急度等に応じて、所望の呼出種別を選択することができる。なお、「個別選択」とする場合、作業者は呼出対象の子局３を選択することが必要となる。
【００６５】
また、操作卓１において、例えば作業者が放送要求ボタンを押下することにより、放送要求に係る操作情報が操作入力部１１から操作制御部１０に与えられ、操作情報が操作制御部１０から放送要求部１３に与える（Ｓ１０２）。これにより、放送要求が操作卓１から親局２に与えられる。
【００６６】
親局２では、操作卓１からの放送要求に基づく呼出信号を無線送信する（Ｓ１０３）。子局３では、呼出信号が受信されると、放送開始の準備がなされる。ここで、親局２は、子局３における放送開始の準備に必要な無線シーケンスの完了時間を監視するため、呼出信号の送信後タイマーを計時し、無線シーケンスの完了とみなす所定時間（例えば数秒程度）経過するまで待機する。なお、親局２は、子局３における呼出信号の受信の確実性を保証するために、所定回数連続して呼出信号を送信することができる。この場合、親局２は、最後の呼出信号の送信後にタイマーの計時を開始して所定時間（例えば数秒程度）を計測するようにしても良い。
【００６７】
一方、操作卓１では、放送要求後（Ｓ１０２）、放送内容に係る音源の入力受け付けを開始し（Ｓ１０４）、入力された音源データは音源データ記憶部１８に蓄積される。
【００６８】
子局における放送開始準備が確実になってから放送内容を子局に送信を行うものとしているため、従来の市町村防災無線システムは、親局からの無線シーケンス完了の通知を受けるまで、操作卓において音源の入力操作（例えば、マイク１５を用いた音声の入力や音源データの選択等）を行うことができなかった。
【００６９】
これに対して、この実施形態では、放送要求後に、無線シーケンスが完了する前に、操作卓１における放送内容の音源の入力を受け付け、入力された音源データは順番に音源データ記憶部１８に蓄積される。これにより、特に緊急性が求められる放送を行う場合でも、作業者は迅速に音源を入力することができる。さらに、音源データは音源データ記憶部１８にバッファリングされ、子局３における放送開始準備が整った後に音源データが子局３に送信されるため、市町村防災無線システムのポリシーも維持できる。
【００７０】
その後、親局２において、呼出信号の送信後所定時間が経過して、無線シーケンスが完了したとみなされると、無線シーケンス完了通知が親局２から操作卓１に通知される（Ｓ１０５）。
【００７１】
操作卓１では、親局２から無線シーケンス完了通知を受けると、音源制御部１７が、音源データ記憶部１８に記憶されている音源データを順番に音源データ出力部１９に出力する（Ｓ１０６）。つまり、音源データ記憶部１８に記憶されている音源データが順番に自動的に親局２に与えられ、親局２は、操作卓１から取得した音源データを順番に無線送信を行う（Ｓ１０７、Ｓ１０９）。これにより、子局３は、音源データを受信し、受信した音源データに基づく放送内容を順番にスピーカ３３から流すことができる（Ｓ１０８、Ｓ１１０）。
【００７２】
（Ａ−３）実施形態の効果
以上のように、この実施形態によれば、親局と子局との間の無線シーケンスが完了する前であっても、操作卓が音源の入力受付を行い、入力された音源データをバッファリングすることができる。バッファリングされた音源データは、親局と子局との間の無線シーケンスが完了後、自動的に親局に与えられて子局に送信される。そのため、無線シーケンス完了前でも、操作卓において音源入力の操作を行うことができ、作業者による放送操作に要する時間を短縮することができる。また、作業者の目視による無線シーケンスの完了確認が不要となるため、作業者の誤操作を防止することが期待できる。
【００７３】
（Ｂ）他の実施形態
上述した実施形態においても本発明の種々の変形実施形態を説明したが、本発明は、以下のような変形実施形態も適用できる。
【００７４】
（Ｂ−１）上述した実施形態では、親局と子局との間の通信が親局から子局に向けた下り方向通信のみの場合を例示したが、双方向通信の場合にも本発明は適用可能である。つまり、双方向通信の場合でも、親局が子局との間の無線シーケンスが完了する前でも、音源データの入力を受け付けて蓄積しておき、無線シーケンス完了後に、蓄積されている音源データを順番に子局に送信することができる。
【００７５】
（Ｂ−２）上述した実施形態では、親局が子局に送信するデータが、音声やサイレンやチャイム等の音源データである場合を例示した。市町村防災無線システムにおいて、子局は、拡声装置のように音声や音を流すものだけでなく、戸別子局のように文字データを表示出力するものもある。そこで、上述した実施形態において、親局が子局に送信するデータは、音源データに限定されるものではなく、文字データやＦＡＸデータ、画像データ、動画像データ等のような、子局が出力可能なデータに広く適用することができる。
【００７６】
（Ｂ−３）上述した実施形態において、操作卓は、緊急警報受信機に接続するものや、気象データ（例えば、河川等の水位データ、潮位データ、地震に関するデータ、雨・雷・竜巻等に関するデータ等）を提供するシステムと接続するものであっても良い。
【符号の説明】
【００７７】
１…操作卓、２…親局、３（３−１〜３−３）…子局、４…中継局、９…市町村防災無線システム、１０…操作制御部、１１…操作入力部、１２…記憶部、１３…放送要求部、１４…完了受信部、１５…マイク、１６…音源メモリ、１７…音源制御部、１８…音源データ記憶部、１９…音源データ出力部、２０…信号処理部、２１…放送要求取得部、２２…記憶部、２３…無線処理部、２４…完了通知部、２５…音源データ取得部、２６…音制御部。
【図１】
2015046785.tif 000003
【図２】
2015046785.tif 000004
【図３】
2015046785.tif 000005
【図４】
2015046785.tif 000006
【図５】
2015046785.tif 000007